Podtech/llm-jp-corpus-v4-ja_patent huggingface dataset:
(57)【要約】
【課題】　体力を消耗せずに、女、子供でも、楽しくお手伝いが出来るような、そして楽しんでお手伝いをしてもらえるような、そして美味しいうどん、そばを作るための用具。
【解決手段】上記目的を達成するために、手軽に女、子供、年寄りでも簡単に使いこなせる用具としてサンダル方式を取り入れた。これならば日常の履物と全く変わらず、子供でも履きこなすことが出来るので体重の差などものともしない非常に有効な用具である。サンダルの底部は、踏みしめ部船底型（３）、踏みしめ部一本歯型（４）、踏みしめ部お椀型（５）、であり。これらの（３）、（４）、（５）、の底部の丸み（Ｒ）の大きさにより体重の軽い人は（Ｒ）の小さい物を、体重の重い人は（Ｒ）の大きい物を選ぶことにより、サンダル底部の生地に当たる接地面積が大きく、又、小さく変えることにより生地に対する抵抗のコントロールが出来るようになった、したがって体重の差を感じさせない用具である。
【選択図】　図１
0003100373.tif 000002
【実用新案登録請求の範囲】
【請求項１】
サンダル本体（１）の底部を船底型（３）に形成したことを特徴とするうどん、そばの手打ち用具。
【請求項２】
サンダル本体（１）の底部を先端丸みのある一本歯型（４）に形成したことを特徴とするうどん、そばの手打ち用具。
【請求項３】
サンダル本体（１）の底部をお椀型（５）に形成したことを特徴とするうどん、そばの手打ち用具。
【考案の詳細な説明】
【考案の詳細な説明】
【技術分野】
【０００１】　本考案は、うどん、そばを打つときに、粉と水の分量を正確に計り、粗く混合した後に捏ね合わせる工程において用いる、手打ち用具に関するものである。
【背景技術】
【０００２】　従来は、体重の重い大人の仕事とされているうどん、そばの手打ちは粉と水を混合した材料（生地）をビニールシート等に包みこれを素足で踏むことが最良とされている捏ね方である。しかし、婦女子など比較的体重の軽いものは時間をかけて踏まなければ出来上がりが悪かった。
「一方、家庭用うどん捏ね機として、固定できる小型定盤の端に設けた少し太めの竹の棒を力点にしてうどん粉等を押圧したり、捏ねたり出来るので家庭に於いてうどんが食べたいと思ったらうどん粉を捏ねることに費やす時間と労力を軽減出来る」。と言う提案がなされている（特許文献１）。しかし、この技術では、固定する台が必要であり、装置的に複雑となり又場所的にも広さが必要になると言う欠点を有している。【０００３】
【特許文献１】実用新案登録願昭６０−６０１４１号
【考案が解決しようとする課題】
【０００４】　今まで大変な労働だった生地の捏ねを、体重の重い軽いにかかわらずうどん、そばを家族みんなで楽しく作り共通の話題となるような用具を供したかった。
【課題を解決するための手段】
【０００５】　上記目的を達成するために、手軽に女、子供、年寄りでも簡単に使いこなせる用具としてサンダル方式を取り入れた。これならば日常の履物と全く変わらず、子供でも履きこなすことが出来るので体重の差などものともしない非常に有効な用具である。サンダルの底部は、踏みしめ部船底型（３）、踏みしめ部一本歯型（４）、踏みしめ部お椀型（５）、であり。これらの（３）、（４）、（５）、の底部の丸み（Ｒ）の大きさにより体重の軽い人は（Ｒ）の小さい物を、体重の重い人は（Ｒ）の大きい物を選ぶことにより、サンダル底部の生地に当たる接地面積が大きく、又、小さく変えることにより生地に対する抵抗のコントロールが出来るようになった、したがって体重の差を感じさせない用具である。
【考案を実施するための最良の形態】
【０００６】　図１は、本考案の１実施形態を示すもので（イ）が平面図、（ロ）が側面図、（ハ）が正面図である。図１において、（１）はサンダル本体、（２）は足の固定バンドであり、このサンダル本体（１）の下の底部（３）を形成し、この底部（３）を船底型で、底部先端に体重の負荷が集中するように先端をある程度の丸みを持たせた船底型にした（３）とする、そして図１はこの船底部（３）を縦方向（長手方向）に形成したものである。
　図２は、上記図１の態様と原理は同じであるが、船底型の先端部（３）を横方向（短手方向）に形成したものである。縦方向は、サンダルとして履く時には少々不安定であるが、生地を捏ねる面積が広く効率的であるが、横方向の（４）は捏ねる面積はやや少なくなるが足に履く時は安定する。
　図３は、上記図１、図２、と態様が異なるお椀型である、これは足のかかとに似た形をとったお椀型（５）は、足底の中心部にかかとを移動させ重心を集中させることを目的とした物である。
【作用】
【０００７】　本案手打ち用具を用いるにはうどん、そばの粉と水の分量を正確に計り、粗く混合した生地をビニールシートに包み、床上のござの上に置く。そして本案サンダル本体（１）を履いて、生地の上に体の重心が真っ直ぐ下にかかるように胸を張って平地を歩くが如く足踏みすると、サンダルの底部に船底型（３）が形成してあるので、船底型（３）の底面から斜め左右に側面が生地を広げるように働く。この働きを繰り返すことにより、捏ね、練り作業が進行する。その力は体重の２〜５倍の威力を発揮する。一本歯型（４）も同様であるが、船底型（３）を短くしてサンダル本体（１）の長さ方向中間部に横幅一杯に取り付けたものであり、船底型（３）に対して足の横揺れ安定を図ったものである。お椀型（５）は、からだの重心を、お椀型（５）の底面に集中させたものである。その結果、踏み込むと、生地を前後左右（円形）に広げる。この広がった生地を４つ折、または簀巻きのように丸め再度踏み込むことを繰り返し行うことで捏ねが全般的に進行する。
【考案の効果】
【０００８】　本考案は、上述の通り構成されているので次に記載する通り効果を奏する。
【０００９】　サンダル本体（１）の底部は船底型（３）にした物であり、主として横に移動をして捏ねを行う。これを履いて生地の上を足踏みすることにより体重の中心で平地を歩くが如く疲れを知らない。過去のうどん、そばの生地を素足のかかとで踏むことよりはるかに労力的に楽で楽しく家族全員で使える用具である。
【００１０】　サンダル本体（１）の底部は一本歯型（４）を横にした船底型で主として前後に移動をしながら捏ねを行う。これこそ平地を歩くが如く素直に間接が働き全く疲れを知ない、楽しい用具である。
【００１１】　サンダル本体（１）の底部はお椀型（５）をした物であり。このサンダル本体（１）を履く事により体重はお椀型（５）の底部に負荷が集中し足底の中心部に体重を移動させたことになる、したがって前後左右に生地を捏ね上げ、平地を直立姿勢で歩くが如く、労力的に以前より楽に楽しくうどん、そばを捏ねることが出来る用具である。
【図面の簡単な説明】
【図１】　本案用具の船底型のタイプを示す図　（イ）が平面図　（ロ）が側面図　（ハ）が正面図
【図２】　本案用具の一本歯型のタイプを示す図　（イ）が平面図　（ロ）が側面図　（ハ）が正面図
【図３】　本案用具のお椀型のタイプを示す図　（イ）が平面図　（ロ）が側面図　（ハ）が正面図
【符号の説明】
１　サンダル本体
２　足の固定バンド
３　船底型底部
４　１本歯型底部
５　お椀型底部
【図１】
0003100373.tif 000003
【図２】
0003100373.tif 000004
【図３】
0003100373.tif 000005
(57)【要約】　　　（修正有）【課題】傘の位置を後方、ハンドルよりサドル方向に移転し、首筋背中の雨濡れ、首筋の日焼けを防ぐ。【解決手段】傘取付具Ｃをハンドル部に直接取付けず取付台１を設けてハンドル部よりサドル側の方向に移動を可能にする。【選択図】図４
0003100377.tif 000002
【実用新案登録請求の範囲】
【請求項１】
板状のやや長方形で片方が車体のハンドル部に取付用に加工され、片方は傘取付具の取付用に加工された、一体化した取付台（治具）
【請求項２】
傘取付具をハンドル支柱に取付けずに別に傘取付台を設けた事
【請求項３】
傘取付具の位置が後方に移動できるように行った事
【考案の詳細な説明】
【０００１】
【考案の属する技術分野】
本考案は傘取付具をハンドル支柱に直接取付けず別に取付台を設けた事である。
【０００２】
【従来の技術】
従来はこの種の傘取付具はハンドル支柱に直接取付けられており、其の具の機能を駆使しても其の位置が前方過ぎて雨傘日傘を付けて利用する場合、雨傘のときは雫が首筋に落ち背中がずぶ濡れになり、日傘の時は日光の方向にもよるが首筋に日が当たる。然し車種により違いがあり、普通車より小型車の場合は、ハンドルとサドルの間の幅が狭く其の差が約６５ｍｍあり此れの難は免れる。
【０００３】
【考案が解決しようとする課題】
雨傘日傘を着用する場合、其の位置が最小限小型車並に６５ｍｍの傘取付具の位置の移動を可能にする事である。
【０００４】
【課題を解決するための手段】
自転車のハンドル部は前輪を支える支柱の前部に取付けてあり、其の中心部より６５ｍｍ後方のサドル方向に傘取付具の中心が取付けられるようにすれば解決出来る。
【０００５】
【考案の実施の形態】
考案の実施の形態について図面を参照に説明する。材料は金属加工でもプラスティック類の成型加工でも取付台に耐えられるものであるならばよい。図１は取付台の平面図。図２は側面図である。仮に金属に依る加工図である。（３）はハンドル部に取付ける為のＵボルトの穴である。（２）は傘取付具取付けの軸である。点線は傘取付具の軸取付部の一部である。
【０００６】
【実施例】
実施例も図面を参照に説明する。図３はハンドル部に取付けた取付台平面図である。図４は側面図である。点線は傘取付具を取付けた時の一部分である。
【０００７】
【考案の効果】
安易に取付が可能であり、製作が安易であり、安値であり、且つ市販品をそのまま利用しながら後方移転が可能になり雨濡れ、首焼けが防止出来る。利用者の自主利用判断で傘の手持ち位置逆でも利用できる。又サドルの雨濡れ防止にも利用できる。
【図面の簡単な説明】
【図１】平面図
【図２】側面図
【図３】平面図
【図４】側面図
【符号の説明】
１．　取付台
２．　傘取付具取付用軸
３．　ボルト取付用穴
４．　Ｕナット
５．　ナット
Ａ．　ハンドル
Ｂ．　前輪を支える支柱
Ｃ．　市販傘取付具（実用新案登録番号　平５−５９９１７）
【図１】
0003100377.tif 000003
【図２】
0003100377.tif 000004
【図３】
0003100377.tif 000005
【図４】
0003100377.tif 000006
【手続補正書】
【提出日】平成15年7月19日(2003.7.19)
【手続補正１】
【補正対象書類名】明細書
【補正対象項目名】０００２
【補正方法】変更
【補正の内容】
【０００２】
【従来の技術】
從来はこの種の傘取付具はハンドル主柱に直接取付けられて居り其の位置が前方過ぎて雨傘日傘を取付けて利用する場合。雨傘の時は雨雫が首筋に落ち背中が濡れやすく、日傘の時は日の向きにもよるが首筋に日が当りやすく其の操作は女性には面倒である。然し車種により違いがあり小形車の場合は、ハンドルトサドルの間の巾が狭く其の差が約６５ｍｍありこの難は免れる。




【手続補正書】
【提出日】平成15年9月30日(2003.9.30)
【手続補正１】
【補正対象書類名】明細書
【補正対象項目名】実用新案登録請求の範囲
【補正方法】変更
【補正の内容】
【実用新案登録請求の範囲】
【請求項１】
板状のやや長方形で一方が車体のハンドル部取付用に加工され、他方が傘取付具取付用に加工された傘取付具取付台
【請求項２】
傘取付具をハンドル支柱に取付けずに別に傘取付具取付台を設け一方が車体のハンドル部取付用に加工され、他方が傘取付具取付用に加工された板状でやや長方形の傘取付具取付台
【請求項３】
傘取付具の位置がハンドル支柱より後方に移動出来るように一方が車体のハンドル支柱に取付用に加工され、他方が傘取付具取付用に加工された板状でやや長方形の傘取付具取付台
【手続補正２】
【補正対象書類名】明細書
【補正対象項目名】０００７
【補正方法】変更
【補正の内容】
【０００７】
傘取付具取付台は、取付が安易であり又製作も安易であり且つ傘取付具市販品をそのまま利用できて後方移転が可能になり雨濡れ首焼けが日光の方向にもよるが防止出来る。使用者の取付台利用判断で手持ちの場合の傘の位置まででも移動可能で利用することが出来る。サドルの雨濡れ防止にも利用できる。


【手続補正３】
【補正対象書類名】明細書
【補正対象項目名】符号の説明
【補正方法】変更
【補正の内容】
【符号の説明】
１．　取付台
２．　傘取付具取付用軸
３．　ボルト取付用穴
４．　Ｕボルト
５．　ナット
Ａ．　ハンドル
Ｂ．　前輪を支える支柱
Ｃ．　市販傘取付具（実用新案登録番号　平５−５９９１７）
(57)【要約】　　　（修正有）【課題】極力構造を簡単にして、故障がなく持ち歩くのに便利な石膏ボード面取り金具を提供する。【解決手段】長さ１４０ｍ／ｍのＬ型アングル中央に二等辺三角形の切り込みを入れ、先端左側に２５ｍ／ｍの取手を取り付けた。【選択図】図１
0003100372.tif 000002
【実用新案登録請求の範囲】
【請求項１】
長さ１４０ｍ／ｍのＬ型アングル中央に二等辺三角形の切り込みを入れ、先端左側に２５ｍ／ｍの取手を取り付けたことを特徴とする、石膏ボード面取り金具。
【考案の詳細な説明】
【考案の詳細な説明】
【技術分野】
【０００１】考案は建築現場において、石膏ボード、ケイサンカルシウム板などの小口面取り金具である。
【背景技術】
【０００２】従来、面取りカンナにおいては、本体に刃を取り付けるタイプが一般的である。
【考案が解決しようとする課題】
【０００３】従来商品は、カンナタイプで腰袋の中に入りにくいなどの問題を有している。
【０００４】また、取り付けた刃がすぐに切れなくなったりすることも問題である。
【０００５】最大の難点は、刃を取り付けている固定金具ネジがあまくなり、刃がすぐに動くことが一番の問題点であった。
【課題を克服するための手段】
【０００６】極力構造を簡単にし、故障が無く手軽に取り扱い出来るようにすることである。
【０００７】考案は従来にない、小型でシンプルにできているので、腰袋の中に収納できるメリットがある。
【０００８】また、先端左側に２５ｍ／ｍの取手を取り付けたことにより、ボード小口の上をスムーズに走らせることができる。
【０００９】考案の最大特徴は、本体に刃を付けるのではなく、本体にカッターナイフを添えることである。
【００１０】考案の材質は、スチール、アルミ、ステンレス、強化プラスチックなどが望ましい。
【考案の実施形態】
【００１１】考案の実施形態例を図面を参照して説明する。図１に示すように非常にコンパクトでシンプルに製品が完成されている。
【００１２】図１、２、３、に示すように小型で軽量であることも特徴の一つである。
【００１３】取手の取り付け方法としては、本体の一部を折り曲げることが望ましい。
【考案の効果】
【００１４】考案を利用することによって、手軽で簡単に石膏ボード及びケイサンカルシウム板の小口面取りが可能になる。
【００１５】考案を利用することによって、作業者皆様の作業効率アップになることを切実に願う次第です。
【００１６】
【特許文献１】［１１］　特許公開　　　［４３］　１９９１年８月１３日　　　［１１］　実用新案平５−１６２１２　　　［４３］　１９９６年７月２２日　　　［１１］　実用新案第３０３３８９３
【００１７】上記
【００１６】に述べてある案件との違いは、思考、形状、作業性において違いがあると思われる。
【図面の簡単な説明】
【図１】考案に係る平面図、レイアウト図である。
【図２】考案に係るＡ面立面図である。
【図３】考案に係るＢ面立面図である。
【図４】考案に係るＣ面断面図である。
【図５】考案に係るＤ面断面図である。
【図６】考案に係る二等辺三角形詳細図である。
【図７】考案に係る施工図である。
【符号の説明】
１、　石膏ボード面取り金具本体
２、　取手
３、　二等辺三角形
４、　石膏ボード
５、　カッターナイフ
【図１】
0003100372.tif 000003
【図２】
0003100372.tif 000004
【図３】
0003100372.tif 000005
【図４】
0003100372.tif 000006
【図５】
0003100372.tif 000007
【図６】
0003100372.tif 000008
【図７】
0003100372.tif 000009
(57)【要約】
【課題】　スポンジと弾力ゴムにより、痛みをなくし、指圧感覚が出るようにし、携帯にも便利なようにコンパクトにする。
【解決手段】　スポンジの半球１と、ロール巻き弾力ゴム２と、防止シート４の組み合わせにより、痛みのない心地よい指圧感覚が出るようにした
【選択図】　図１
0003100347.tif 000002
【実用新案登録請求の範囲】
【請求項１】
　スポンジボールの半球１に弾力ゴム埋め込み穴３を設け、弾力ゴム外れ防止ゴムシート４を接着し、ロール巻き弾力ゴム２を装着した足裏指圧のできる健康器具
【考案の詳細な説明】
【考案の詳細な説明】
【考案が解決しようとする課題】
【０００１】　従来、足裏器具には、先が細く円形で堅めのものが存在していたが、体重をかけると痛みがありコントロールが大変難しく、長い時間利用すると痛みが簡単に取れないという問題を有していた。
【課題を解決するための手段】
【０００２】　上記目的を達成するために、スポンジボールの半球とロール巻き弾力ゴ厶及び防止シートの組み合わせにより、痛みのない心地よい指圧感覚が出るようにした。
【考案の効果】
【０００３】　スポンジのソフトさと、ゴムの弾力効果で痛みはなく、指圧感覚と治療効果を実感でき、しかもコンパクトで持ち運びに便利である。
【図面の簡単な説明】
【図１】半球スポンジに、外れ防止シート及びロール巻き弾力ゴ厶を装着した斜視図である。
【図２】同列弾力ゴムの中心部を切り欠いた断面図である
【図３】弾力ゴム外れ防止シートの中心断面図である。
【符号の説明】
　　　　　１　　半球スポンジ
　　　　　２　　ロール巻き弾力ゴム
　　　　　３　　弾力ゴム埋め込み穴
　　　　　４　　弾力ゴ厶外れ防止シート
【図１】
0003100347.tif 000003
【図２】
0003100347.tif 000004
【図３】
0003100347.tif 000005
(57)【要約】
【目的】車や家などのシリンダー錠（９）の修理時に内部を観察、修理する場合に、シリンダー内を観察しやすくすることを目的とする。
【構成】Ｌ字形操作棒（３）の両先端に、Ｕ字状溝（８）を有し、そのＵ字状溝（８）に発光ダイオード（４）を埋め込みシリンダー内部を直接照らす事が出来、また、二股に分かれたＬ字形操作棒（３）の片方のＬ字状の曲がり部分に、ネジ（５）を設け、ネジ（５）を締めることによりＬ字形操作棒（３）がシリンダー（１０）内で押し広がり、本体をシリンダー（１０）に固定出来る鍵穴用照明装置。
【選択図】　図１
0003100346.tif 000002
【実用新案登録請求の範囲】
【請求項１】
自動車のシリンダー錠（９）を修理する際に使用する照明装置であって電池ケース（１）、電池ケース（１）に固定され二股に分かれたＬ字形操作棒（３）、そのＬ字形操作棒（３）の両先端には、Ｕ字状溝（８）を有し、そのＵ字状溝（８）に発光ダイオード（４）を埋め込み、Ｌ字形操作棒（３）の内側の長手方向に電線（６）の通る溝（７）を設け、且つ他端に光源用入切装置（２）を設けた鍵穴用照明装置。
【請求項２】
Ｌ字形操作棒（３）をシリンダー（１０）に固定する為に、二股に分かれたＬ字形操作棒（３）の片方のＬ字状の曲がり部分に、締めると二股に分かれたＬ字形操作棒（３）が開く様にネジ（５）を設け、ネジ（５）を締めることによりＬ字形操作棒（３）がシリンダー（１０）内で押し広がり、本体をシリンダー（１０）に固定出来る鍵穴用照明装置。
【考案の詳細な説明】
【考案の詳細な説明】
【技術分野】
【０００１】　この考案は、鍵穴用照明装置に関するものである。
【背景技術】
【０００２】　外筒（１１）と外筒（１１）の中で回転するシリンダー（１０）、及びシャッターから構成されている自動車などのシリンダー錠（９）を修理する際、シリンダー（１０）内部を小さな鍵穴から覗きながら作業を行うが、通常シリンダー（１０）の入口には、埃などの侵入防止の為開閉出来るシャッター（１２）が取り付けてある、そのシャッター（１２）を押し開けシリンダー（１０）内部を照明で照らしながら、鍵の内部を観察し修理している。
【考案が解決しようとする課題】
【０００３】　自動車の鍵を修理する際、鍵穴が小さい為鍵穴に棒または板状の物を入れてシャッター（１２）を開き、さらに照明装置を入れると鍵穴に死角が出来、シリンダー（１０）内部を自由に覗かれず、ましてや作業工具を入れるスペースも無いと言うのが現状であった。
【課題を解決する為の手段】
【０００４】　そこでこの考案は上記の問題を解決する為、二股に分かれたＬ字形操作棒（３）の両端にＵ字状の溝（８）を設け、その部分に発光ダイオード（４）を埋め込み、その光源付きＬ字形操作棒（３）でシャッター（１２）の開閉と、シリンダー（１０）内部を明るく照らし、Ｌ字形操作棒（３）の片方のＬ字状の曲がり部分に、締めると二股に分かれたＬ字形操作棒（３）が開く様にネジ（５）を設け、ネジ（５）を締めることによりＬ字形操作棒（３）がシリンダー内で押し広がり、本体をシリンダー（１０）に固定することが出来る鍵穴用照明装置を開発提供することにある。
【考案を実施するための最良の形態】
【０００５】　次にこの考案の実施例を図１〜図６に基づき詳述すると、電池ケース（１）に固定した二股に分かれたＬ字形操作棒（３）、Ｌ字形操作棒（３）の両先端にＵ字に切り欠きを設け、その中に発光ダイオード（４）を埋め込み、Ｌ字形操作棒（３）の長手方向に電線（６）を埋め込む溝（７）が掘ってありその電線（６）は電池ケース（１）の内部まで導いている、電線（６）は樹脂又は接着剤などで固定する、他端に発光ダイオード（４）を入切する光源用入切装置（２）とで構成されている。【０００６】　また、Ｌ字形操作棒（３）をシリンダー錠（９）に固定する為に、二股に分かれたＬ字形操作棒（３）の片方のＬ字状の曲がり部分に、締めると二股に分かれたＬ字形操作棒（３）が開く様にネジ（５）を設け、ネジ（５）を締めることによりＬ字形操作棒（３）がシリンダー（１０）内で押し広がり、本体をシリンダー（１０）に固定出来る構造になっている。【０００７】　またこの考案に使用している光源装置はスペースを取らない発光ダイオード（４）を使用し、電源は電池を使用している為、通常５０時間程度は連続点灯可能である。【０００８】　又電池ケース（１）は後端部がネジで接続され中に乾電池が収納されており、後部つまみ部分を右方向に回せばスイッチがＯＮになり、左方向に回せばＯＦＦになる入切装置（２）として構成されてある。【０００９】　シリンダー錠（９）入口には埃侵入防止のシャッター（１２）が設けられている為、鍵内部の修理する場合はＬ字形操作棒（３）の先端光源装置部を鍵穴部に挿入し、シャッター（１２）を押し開け、ネジ（５）によりＬ字形操作棒（３）が外側に広がり、シリンダー（１０）とＬ字形操作棒（３）を固定させて、シリンダー（１０）内部を覗きながら、不具合カ所を修理する。【００１０】　発光ダイオード（４）は先端部分に埋め込まれ突起部分が無い為、開口部分を最大限に広くすることが出来、また工具が先端部に当たっても発光ダイオード（４）に直接当たらない為、故障を最小限にすることが出来る。
【考案の効果】
【００１１】　二股に分かれたＬ字形操作棒（３）の両先端の、Ｕ字錠溝（８）部に発光ダイオード（４）を埋め込んでいる為、Ｌ字形操作棒（３）をシリンダー内に挿入しても死角部分が出来ず、発光ダイオード（４）が突出していない為、シリンダー内に工具を入れても、工具で発光ダイオード（４）を傷つけたり損傷を最小限に押さえることが出来る、又Ｌ字形操作棒（３）はネジ（５）によりシリンダー（１０）内で押し広げられている為、シリンダー（１０）内部を覗きながらの作業が容易に可能となる。
【図面の簡単な説明】
【００１２】
【図１】この考案の一実施例を示し、状態図である。
【図２】図１のＬ字形操作棒（３）の先端拡大図である。
【図３】図１のＡ−Ａ断面図である。
【図４】この考案の使用状態を示した状態図である。
【図５】この考案の使用状態を示した断面図である。
【図６】この考案の使用状態を示した断面図である。
【符号の説明】
（１）電池ケース
（２）入切装置
（３）Ｌ字形操作棒
（４）発光ダイオード
（５）ネジ
（６）電線
（７）溝
（８）Ｕ字状溝
（９）シリンダー錠
（１０）シリンダー
（１１）外筒
（１２）シャッター
【図１】
0003100346.tif 000003
【図２】
0003100346.tif 000004
【図３】
0003100346.tif 000005
【図４】
0003100346.tif 000006
【図５】
0003100346.tif 000007
【図６】
0003100346.tif 000008
(57)【要約】
【課題】和服を安定して保持できるたとう紙を提供する。
【解決手段】たとう紙の底面部１の表面の少なくと一部に滑り止め加工をするか、又はたとう紙の底面部１に、表面の少なくとも一部に滑り止め加工したシート３を載置する。滑り止め加工は、底面部１又はシート３の表面に樹脂２の塗膜を設ける、又はエンボス加工及び／又は樹脂加工(ドット状印刷など）で凹凸を設ける等の方法で実施することができる。
【選択図】図１
0003100344.tif 000002
【実用新案登録請求の範囲】
【請求項１】
　底面部に折り畳んだ和服を置き、上下左右の覆い部で前記和服を覆って収納するたとう紙において、底面部１の表面の少なくとも一部が滑り止め加工されていることを特徴とするたとう紙。
【請求項２】
　底面部に折り畳んだ和服を置き、上下左右の覆い部で前記和服を覆って収納するたとう紙において、底面部１に、表面の少なくとも一部が滑り止め加工されたシートが載置されていることを特徴とするたとう紙。
【請求項３】
　前記滑り止め加工が、樹脂加工によるものである請求項１又は２のたとう紙。
【請求項４】
　前記滑り止め加工が、エンボス加工及び／又は樹脂加工で凹凸を設けたものである請求項１又は２のたとう紙。
【考案の詳細な説明】
【技術分野】
【０００１】
　本考案は、和服を折り畳んで収納するたとう紙に関する。
【背景技術】
【０００２】
　たとう紙は、古くから和服の収納用具として使用されている。一般に、たとう紙は和紙から成るもので、折り畳んだ和服を底面部に置き、その上下左右の覆い部で、前記和服を覆うものであるが、たとう紙に収納した状態で和服を持ち運びする際に、和服がたとう紙の中で滑って移動し、不当な皺が生じるなどの問題があった。
【考案の開示】
【考案が解決しようとする課題】
【０００３】
　本考案は、和服を安定して保持できるたとう紙を提供することを課題とする。
【課題を解決するための手段】
【０００４】
　本考案では、たとう紙の底面部表面の少なくと一部に滑り止め加工をすることにより、前記課題を解決した。
【０００５】
　なお、たとう紙の底面部に、表面の少なくとも一部に滑り止め加工したシートを載置してもよい。
【０００６】
　滑り止め加工は、底面部表面又はシート表面に樹脂加工、例えば樹脂塗膜を設けるなどしてもよいが、エンボス加工及び／又は樹脂加工で凹凸を設けてもよい。後者の場合、細かいドット状プリントなどによるのが、好ましい。
【考案を実施するための最良の形態】
【０００７】
　次に、本考案の実施例を図面に従って説明する。
　図１の例では、和紙からなるたとう紙の底面部１に合成樹脂２が刷毛塗りされ、滑り止め加工されたものである。
　図２の例は、市販のたとう紙の底面部１に、該底面部１と略同一形状の紙の表面に、合成樹脂２を２ｍｍ径のドット状に印捺したシート３を載置したものであり、図３の例は、底面部１と略同一形状の紙に、格子状にエンボス加工による凹凸４を設けたシート３を、底面部１に載置して使用するものである。
【０００８】
　羽二重の着物を、図１〜３のたとう紙に、収納したところ、少々手荒く扱っても、たとう紙の中で、着物がずれることなく、常に安定して収納時の状態を保った。
　これに対して、羽二重の着物を、従来のたとう紙に収納した場合には、非常に丁寧に扱っても、たとう紙の中で着物がずれて、型くずれし、皺が入り易く、慎重な取り扱いが必要であった。
【産業上の利用可能性】
【０００９】
　本考案のたとう紙は、柔軟で、取り扱い難い和服を、たとう紙中で、ずれて型くずれすることなく、安定して収納保持できるので、和服を常に新鮮に保つことができる。
【図面の簡単な説明】
【００１０】
【図１】本発明の一例の平面図である。
【図２】本発明の一例の平面図である。
【図３】本発明の一例の平面図である。
【符号の説明】
【００１１】
１　底面部
２　樹脂
３　シート
４　凹凸
【図１】
0003100344.tif 000003
【図２】
0003100344.tif 000004
【図３】
0003100344.tif 000005
【手続補正書】
【提出日】平成15年9月10日(2003.9.10)
【手続補正１】
【補正対象書類名】明細書
【補正対象項目名】００１０
【補正方法】変更
【補正の内容】
【００１０】
【図１】本考案の一例の平面図である。
【図２】本考案の一例の平面図である。
【図３】本考案の一例の平面図である。
(57)【要約】　　　（修正有）【課題】歯ミガキ入りスティック状容器と歯ブラシを一体化することにより一体型歯ブラシを得る。【解決手段】スティック状の容器１２にポンプ９を装着し、ネリ状の歯ミガキを円滑に歯ブラシの毛先まで送り出すことが出来るようにノズル管５にバネ８とレバー７を取り付け容易に使用できるようにした。【選択図】図１
0003100383.tif 000002
【実用新案登録請求の範囲】
【請求項１】
歯ブラシ本体部分を空洞化し歯ブラシの付け根中央から毛先にかけて２から３ミリのゴム管を１ないし３個をもうけ歯ブラシの毛先の方向に向けてハミガキが出るようにした歯ブラシとハミガキ入りスティック状容器と一体化した一体型歯ブラシ。
【請求項２】
スティック状の容器に吸入ポンプを装着し、ノズル管が円滑に上下出来るようにバネ及びレバーを取り付けることにより、歯ブラシの空洞を通して歯ブラシの毛先までハミガキを送り出すようにした。
【考案の詳細な説明】
【考案の詳細な説明】
【技術分野】
【０００１】本考案は歯ブラシの毛先までハミガキを送り出し出来るように歯ブラシ本体には空洞化し、歯ブラシの付け根中央から毛先にかけて２から３ミリのゴム管を通して、ハミガキの入ったスティック状の容器に吸入ポンプを装着しノズル管が円滑に上下出来るようにバネ及びレバーを取り付け使用出来るようにしたものである。
【背景技術】
【０００２】従来は、歯ブラシとチューブ入りハミガキは別々で単独の製品が広く使用されて入るため、歯ブラシとハミガキが一体化になっているものはなかった。
【考案が解決しようとする課題】
【０００３】従来はハミガキが入った容器は独立し単独商品であった。毎日数度使用するものであり、歯ブラシとチュウブにハミガキの入った容器を出し使用するため、大変不便であった。その不便を解決するため、歯ブラシに空洞化、ハミガキ入りの容器をスティック状にして、その容器には吸入ポンプを装着しノズル管を上下に出来るようにレバーを取り付け歯ブラシの毛先までハミガキを送り出すようにしたものである。
【課題を解決するための手段】
【０００４】本考案はノズル管５にレバー７を取り付け、さらにノズル管を円滑に上下運動出来るようノズル管にバネ８を装着することにより、ネリ状のハミガキを歯ブラシの毛先まで容易に送り出ししやすくしたものである。
【考案を実施するための最良の形態】
【０００５】図１〜図３は本考案の実施形態に係るハミガキ入りスティック状容器１２と歯ブラシ２を一体化した一体型歯ブラシを示し、図１は組み立てた状態を示したものである。図２は平面図、図３は各部材ごとに分離した斜視図である。実施形態では、歯ミガキのはいったスティック状容器に、吸入ポンプ９を装着しレバー７を押すことによりノズル管５をとおり歯ブラシの空洞４からゴム管３から歯ブラシの先までハミガキを送り出すことを示したものである。
【本考案の効果】
【０００６】歯ブラシとハミガキの入ったスティック状が一体型になった歯ブラシのため、ハミガキがなくなると市販されたものを注入又は専用のハミガキ入りスティック状容器を取り替えが簡単にでき、歯ブラシも取り替えができる。キップをすることにより、根詰まり及び、衛生面も確保出来る。さらにレバーをワンタッチで押すことにより手の不自由の方でも容易に使用できる歯ブラシとハミガキ入りスティック状容器と一体化した一体型歯ブラシを得ることができる。
【図面の簡単な説明】
【図１】本考案の実施形態に係る一体型歯ブラシのキャップを取った状態の斜視図である。
【図２】本考案の実施形態に係る一体型歯ブラシのキャップを閉じた状態の平面図である。
【図３】本考案の実施形態に係る一体型歯ブラシの各部材の分離した状態での要部斜視図である。
【符号の説明】
　１　一体型歯ブラシ
　２　歯ブラシ
　３　ゴム管
　４　空洞
　５　ノズル
　６　ノズルカバー
　７　レバー
　８　バネ
　９　バネ
１０　ポンプ
１１　支柱
１２　スティック状ハミガキ入れ容器
１３　キャップ
【図１】
0003100383.tif 000003
【図２】
0003100383.tif 000004
【図３】
0003100383.tif 000005
【手続補正書】
【提出日】平成15年9月29日(2003.9.29)
【手続補正１】
【補正対象書類名】実用新案登録請求の範囲
【補正対象項目名】請求項２
【補正方法】変更
【補正の内容】
【請求項２】
スティック状の容器に吸入ポンプを装着し、ノズル管が円滑に上下できるようにバネ及びレバーを取り付けることにより、歯ブラシの空洞を通して歯ブラシの毛先までハミガキが出るようにしたことを特徴とする請求項１に記載の歯ブラシとハミガキ入りスティック状容器と一体化した一体型歯ブラシ。
(57)【要約】　　　（修正有）【課題】貫通玉を簡単に差し換えられること、緩みや外れる恐れのない構造にする。【解決手段】貫通玉の心棒と受けの部分に強力な磁石を用い、簡潔でワンタッチな差し替えを可能とし、貫通玉をはずす意思のない限り外れない構造とする。【選択図】図２
0003100381.tif 000002
【実用新案登録請求の範囲】
【請求項１】
（１）貫通玉の心棒と受けの部分に強力な磁石を用い、簡潔でワンタッチな差し替えを可能としました　玉をはずす意思のない限り外れない構造になっています。
【考案の詳細な説明】
【考案の詳細な説明】
【技術分野】
【０００１】
【０００２】本考案は貫通玉使用指輪の貫通玉を簡単かつワンタッチに差し替えることが出来る機能に関する。
【背景技術】
【０００３】（１）半リング形のＵ字形の指輪に貫通玉を挟み直径０．５ｍｍ〜０．８ｍｍの金属製丸線をＵの両端から貫通玉の穴を通し巻きつけて固定する。
（２）金属製のアルファベットのＱに似た輪を２つ用い、指に向き合うようにはめ、突起の部分で左右から貫通玉を挟み固定する。
【考案が解決しようとする課題】
【・・・・】
従来の技術で述べた（１）ではビーズアクセサリー作りなどの知識と技術がない限り貫通玉の交換はできません出来たとしても時間のかかる作業となります。　（２）ではワンタッチで交換が可能ですが指にはめての使用中に指輪がずれることがあり貫通玉が緩み、落としてしまう恐れがあります
【課題を解決するための手段】
【・・・・】
【考案を実施するための最良の形態】
【・・・・】
【実施例】
【・・・・】
【考案の効果】
【・・・・】
簡単に差し替えが出来て落とす心配もないことから従来品より優れています。
【図面の簡単な説明】
【図１】マグネット式貫通玉差し替え可能指輪を示した平面図である。
【図２】マグネット式貫通玉差し替え可能指輪を示した断面図である。
【符号の説明】
１　直径２．２ｍｍ×３ｍｍ　マグネット
２　直径３．０ｍｍ×１ｍｍ　マグネット
３　直径２．９ｍｍ　丸断面パイプ
【図１】
0003100381.tif 000003
【図２】
0003100381.tif 000004
【手続補正書】
【提出日】平成15年9月24日(2003.9.24)
【手続補正１】
【補正対象書類名】実用新案登録請求の範囲
【補正対象項目名】全文
【補正方法】変更
【補正の内容】
【実用新案登録請求の範囲】
【請求項１】
　貫通玉の心棒と受けの部分に強力な磁石を用い、簡潔でワンタッチな差し替えを可能とし、貫通玉をはずす意思のない限り外れない構造を有する貫通玉差し替え可能指輪。
(57)【要約】　　　（修正有）【課題】通行そのものを制限して進入を防止する目的での遮断ゲートではなく、危険箇所への進入手前で通行人に注意喚起して横断を促すような目的での一時遮断ゲートであって、車道等への無造作な飛び出しを防止する。【解決手段】回動自在の遮断バーを軽い力でも稼働できるように支柱ポール２に付設し、バーの回動方向を進入口手前側に９０度程度引き開き式として、通行人が必ず一旦立ち止まってバー１を開く動作を要させて危険箇所あるいは車道等への飛び出しを防止する手段を講じたものである。【選択図】図１
0003100389.tif 000002
【実用新案登録請求の範囲】
【請求項１】
　人の通行路と車両等の車道が交差する部分において、人が車道内に無造作に進入することを防ぐために危険箇所手前で平時において自由な横断を一時的に遮断し、通行時には進入口から手前側に９０度程度に回動させ、人の通行後には元状態に自動的に復帰して引き続き後続の通行を遮断して通行人を一旦立ち止まらせるための回動式の遮断バーを有することを特徴とする安全遮断ポール。
【考案の詳細な説明】
【技術分野】
【０００１】
　本考案は、人の通行を一時的に遮断して車道内への飛び出しを防止する通行遮断ゲートに関する。
【背景技術】
【０００２】
　従来、車庫用のゲートバー等において自由な通行を遮断するための進入制限機構が存在している。
【特許文献１】実開平１−１４２７９８号
【考案の開示】
【考案が解決しようとする課題】
【０００３】
　従来より存在する通行遮断のためのゲート機構は、防犯上の進入阻止用であったり、通行そのものを制限するためのものであり、危険箇所の手前で通行人の往来に注意喚起して、飛び出しを防止するような目的で設置されるものではなかった。
【課題を解決するための手段】
【０００４】
　本考案は、回動自在の遮断バーを軽い力でも稼働できるように支柱ポールに付設し、バーの回動方向を進入口手前側に９０度程度引き開き式として、通行人が危険箇所の手前で必ず一旦立ち止まってバーを開く動作を要させて車道等への飛び出しを防止する手段を講じたものである。
【考案の効果】
【０００５】
　この考案は前記のように構成されており、以下に記載のような効果を有する。
【０００６】
　例えば工場内において、物流用車両のための車道が縦横に巡らされ、その車道を横断する従業員は、時として安全確認を怠って、無造作に車道内に進入して事故に至る場合があった。
【０００７】
　その対策として、車道の横断の直前に障害物を設けて、危険箇所の手前で通行人が一旦立ち止まることで、無造作な飛び出し事故を防止できることが考えられた。
【０００８】
　本考案製品は、比較的軽い力でも可動するものであるが、回転が手前側にしか開かないようになっており、必ず手を添えて手前に引き開く動作を要するので、単に体を遮断バーに当てるだけで押し開くことはできないようになっている。
【０００９】
　また、通行人が引き開いた後には、遮断バーが自動的に遮断位置に復帰し、引き続いて後続の通行人の車道横断を遮断できるものである。
【００１０】
　更に、本考案製品は、回動に関してモーター等の電源を要する機構部を有しないために設置について場所を選ぶことがない。
【００１１】
　なお、遮断位置への復帰に関しては、板バネなどを用いることによって、引き開き時の回動抵抗が大きくなるので、場所によって注意喚起の意味合いを増すこともできる。
【考案を実施するための最良の形態】
【００１２】
　本考案製品は、通行路面に通常のポールとして設置できるポール支柱を基体にして、ベアリングに支えられて滑らかに水平方向に回動するよう取り付けられた遮断バーを付設した構造となっている。
【実施例１】
【００１３】
　図１は、本考案製品の全体構成図で、遮断バー１はベアリング式回動機構３により支柱ポール２に取り付けられて回動可能となっている。この遮断バーは傾斜によってバネ等を用いることなく遮断位置への元状態復帰が滑らかにできるようになっている。
【００１４】
　図２に示すように、遮断バーは引き開き時の位置から遮断状態の位置にかけてやや水平方向から傾斜して取り付けられており、取付傾斜角による元状態復帰のベアリング式回動機構３は、通行人が遮断バーを引き開く際に最低限の力で済み、さらに引き開いた後に元状態への復帰までに充分な時間的余裕が生まれるので、遮断バーを開いた通行人が車道の横断に余裕を持てる効果がある。
【００１５】
　なお、特に危険度が高い車道横断箇所等においては、敢えて板バネ等を用いて引き開き時の動作抵抗を大きくして危険箇所であることを強調して、車道横断時の注意喚起を強く促すことができる。
【００１６】
　本考案製品の設置基数については、歩行者側の通路の幅が広い場合には、両側に２基を設置することによって対応するほか、遮断バーの長さを調整すれば１基でもある程度までは対応できる。
【産業上の利用可能性】
【００１７】
　工場敷地内の物流車道を従業員が横断することは場所を構わず多いものであるが、特に最近は歩行者専用通路が指定され、その上で車道と交差する箇所が存在する。この場合、歩行者側には優先意識が生じて、車道の安全確認を怠る事が多く、工場内の対車両接触事故が多発している。
【００１８】
　このような歩行者通路と車道との交差部分である危険箇所手前に本考案製品を設置することによって、歩行者側の注意喚起を促し、車道横断前の安全確認動作を促進させるもので、電源不要にて設置場所を選ばず幅広い利用可能性を提供できるものである。
【図面の簡単な説明】
【００１９】
【図１】本考案製品の全体図
【図２】本考案製品の内部透視図
【図３】本考案製品の設置例上面図
【符号の説明】
【００２０】
　　　　１…遮断バー
　　　　２…支柱ポール
３…ベアリング式回動機構
【図１】
0003100389.tif 000003
【図２】
0003100389.tif 000004
【図３】
0003100389.tif 000005
【手続補正書】
【提出日】平成15年10月29日(2003.10.29)
【手続補正１】
【補正対象書類名】実用新案登録請求の範囲
【補正対象項目名】全文
【補正方法】変更
【補正の内容】
【実用新案登録請求の範囲】
【請求項１】
　人の通行路と車両等の車道が交差する部分に設置される一時遮断ゲートにおいて、路面上に固定された支柱ポールとそれに組み合わされる横方向に突出した遮断バーをベアリング機構等により円滑回動自在に引き開きの位置から遮断位置にかけてやや下方に傾斜し取付けて回動後に自律復帰する機構によって、
危険箇所手前で平時において自由な横断を一時的に遮断し、通行時には進入口から手前側に９０度程度に回動させ、人の通行後には元状態に自動的に復帰して引き続き後続の通行を遮断して通行人を一旦立ち止まらせることができる回動式の遮断バーを有することを特徴とする安全遮断ポール。
(57)【要約】　　　（修正有）【課題】３つの爪（端部フック）を絵皿に装着することによって、安全かつ安心して使用することが出来る絵皿壁掛用金具の提供。【解決手段】三方スプリングの各スプリングの先端に、透明ビニール管付爪（端部フック）を絵皿に装着することによって、誰でもワンタッチで取り付けることが出来ます。絵皿で思い出を作りたい方には、３つの爪（端部フック）が安心と癒しの空間を与えてくれます。【選択図】図１
0003100385.tif 000002
【実用新案登録請求の範囲】
【請求項１】
透明ビニール管付フックと三方スプリング
【考案の詳細な説明】
【考案の詳細な説明】
【考案に属する技術分野】
【０００１】本考案は、絵皿壁掛用吊金具を取り付ける。壁付フックを壁に取り付け、絵皿壁掛用吊金具を壁付フックに引っ掛ける。絵皿壁掛用吊金具に関するものである。
【背景技術】
【０００２】皿の底ぶちに穴を空け、紐を通して、壁に掛けて使用していました。
【考案の開示】
【考案が解決しようとする課題】
【０００３】絵皿壁掛用吊金具は、誰でも簡単に３つの爪（端部フック）を取り付けることが出来ます。手間、時間、疲労の負担を軽減し、安心して使用して頂きたいと思います。
【課題を解決するための手段】
【０００４】本考案は、３つの爪（端部フック）を絵皿に装着することによって、誰でもワンタッチで取り付けることが出来ます。それによって、絵皿と絵皿壁掛用吊金具と３つの爪（壁付フック）とのバランスが取れ、安定し、安心感をもたらしてくれます。また、３つの爪（端部フック）を絵皿に装着することによって、地震等の衝撃でも耐えることが出来るため、従来の絵皿の問題点を解決しています。
【考案を実施するための最良の形態】
【０００５】３つの爪（端部フック）を絵皿に装着することによって、誰にでも簡単に壁に取り付けることが出来ます。３つの爪（端部フック）の程良い強弱により、お部屋などに安心と癒しの空間を与えてくれます。
【実施例】
【０００６】以下、添付図面に従って、一実施例を説明する。図面１は、絵皿壁掛用吊金具を示した本体背面、図面２は、端部フック（別途）を示した詳細、３は、壁付フック（別途）、４は、ねじれ防止２リング、５は、三方取り付けリング、６は、透明ビニール管付フック、７は、スプリング丸管、８は、スプリングです。
【考案の効果】
上述の様に、本考案の絵皿壁掛用吊金具は、誰でも簡単に装着することが出来ます。絵皿壁掛用吊金具を装着した絵皿は、安全な空間、安心できる雰囲気を与えてくれ、地震等にも強く、安定感があります。
【図面の簡単な説明】
【０００７】
【図１】絵皿壁掛用吊金具を示した本体背面図である。
【図２】端部フック（別途）を示した詳細図である。
【符号の説明】
【０００８】３　壁付フック（別途）
４　ねじれ防止２リング
５　三方取り付けリング
６　透明ビニール管付フック
７　スプリング丸管
８　スプリング
【図１】
0003100385.tif 000003
【図２】
0003100385.tif 000004
【手続補正書】
【提出日】平成15年10月1日(2003.10.1)
【手続補正１】
【補正対象書類名】実用新案登録請求の範囲
【補正対象項目名】全文
【補正方法】変更
【補正の内容】
【実用新案登録請求の範囲】
【請求項１】
三方スプリングの各スプリングの先端に、透明ビニール管付フックを取り付けたことを特徴とする絵皿壁掛用吊り金具
(57)【要約】
【課題】　セラミック基板を湿気から守って電極を保護して、セラミック基板の寿命を伸ばす防護型セラミック基板を提供する。
【解決手段】　セラミック基板１に機能性電極２を印刷法などによりパターニングして形成し、その上に塗布或いは含浸法などにより一層の上薬保護層１を形成する。当該電極の接続のため露出部２０を形成する。上薬保護層によりセラミック基板を湿気から守って電極を保護し、セラミック基板の寿命を延長することができる。
【選択図】　図１
0003100129.tif 000002
【実用新案登録請求の範囲】
【請求項１】
　主にセラミック基板を含み、前記セラミック基板上に機能性を有する電極を印刷法などによりパターニングした上に一層の上薬保護層を形成し、前記電極には前記上薬保護層の外に露出した露出部を形成してなり、上薬保護層により前記セラミック基板を湿気から守り、前記電極を保護することを特徴とする防護型セラミック基板。
【考案の詳細な説明】
【技術分野】
【０００１】
　本考案は、防護型セラミック基板に関し、特に、防湿及び保護電極を兼ね備えたセラミック基板であり、セラミック基板を湿気から守って電極を保護し、セラミック基板の寿命を伸ばす防護型セラミック基板に関する。
【背景技術】
【０００２】
　近年、国内半導体産業及び情報電子産業は成長著しく、我が国の産品輸出の主力となっており、例えばパーソナルコンピュータ、マウス、スキャナー、表示器などは世界市場で主要な地位を占めるに至っている。電子産品は軽薄短小の方向を目指し、それが使用する各種素子そして加工設備の精度及びサイズも日々要求が厳しくなり、製造技術の革命を促して、超精密化、高密度化、高速化、知能化、微小化に向かって発展し、２１世紀の産業に必要な「次世代製造技術」（Next Generation Manufacturing Technology）が広まった。セラミック基板（例えば、高酸化アルミニウム、高酸化ジルコニウムセラミック基板）は良好な耐熱性及び安定性などの基材特性を備えるために、よく各種機能素子の支持体にされ、製造工程はスクレーパスラリから、薄帯化、圧力成型、乾燥、焼結（或いは粉末成型）等の工程を採用し、純粋な高酸化アルミニウムセラミック基板（或いは高酸化ジルコニウムセラミック基板など）を製作し、高酸化アルミニウムのセラミック基板上に機能性電極（タングステン、モリブデン、銀、パラジウム、金などの電極金属導体材料を抵抗、コンデンサ、インダクタンス、アークなどの機能に設計する。）を形成して、光電、オゾン生産、アーク、受動補助素子などの用途にする。しかし、このような機能性セラミック基板を使用する際は、空気中に存在する水蒸気により、セラミック基板自体に水分が付着した。そのため、湿度が高いとセラミック基板に空気中の水分が付着して、断線したり電極焼損などの状況が発生して、使用寿命が短かくなった。そしてこれは特に湿度が高い時、より顕著になることが欠点であった。以上述べたことは従来技術が有する最大の欠点であり、業者はその難題を速やかに克服する必要があった。
【考案の開示】
【考案が解決しようとする課題】
【０００３】
　本考案の主な目的は、セラミック基板を湿気から守って電極を保護し、セラミック基板の寿命を伸ばす防護型セラミック基板を提供することである。
【課題を解決するための手段】
【０００４】
　本考案は主にセラミック基板を含み、セラミック基板に機能性電極を印刷法などによりパターニングし、その特徴はセラミック基板に塗布或いは含浸する方式により一層の上薬保護層を形成し、当該電極に露出部を設計して、上薬保護層によりセラミック基板を湿気から守って電極を保護し、セラミック基板の寿命を伸ばし、そのうち上薬保護層材料は超微細上薬材料である。
【考案の効果】
【０００５】
　上薬保護層がセラミック基板及び電極を被覆する全体機能性セラミック基板（露出部を除く）のために、空気とセラミック基板を隔絶し、効果的にセラミック基板を湿気から守り、電極が上薬保護層により被覆されるために、外に露出している電極は不適当な接触、摩損などの破壊から効果的に保護されて、電極を保護することができる上にセラミック基板の寿命も伸ばすことができる。
【考案を実施するための最良の形態】
【０００６】
　本考案の工程、構造、特徴及びそれにより達成される効果がより明らかになるように、本考案の前述した目的の技術手段を達成する一実施例を次に挙げて、図面と合わせて説明する。
【実施例】
【０００７】
　図１に示すのは本考案の実施形態の断面図であり、図示するように、本考案は主にセラミック基板１（高酸化アルミニウム、高酸化ジルコニウムセラミック基板などであり、製造工程は、スラリよりスクレーパ、薄帯化、圧力成型、乾燥、焼結（或いは粉末成型）などの工程により製作する。）を含み、セラミック基板１に機能性電極２（従来技術においては、タングステン、モリブデン、マンガン、銀、パラジウム、金などの電極金属導電材料を抵抗、コンデンサ、インダクタンス、アークなどの機能に設計。）を印刷法などによりパターニングする。
　セラミック基板１に塗布或いは含浸法により一層の上薬保護層３を形成し（それから焼結工程を経て形成する）、電極２に露出部２０（即ち、上薬保護層３の外へ露出して電極露出点或いは電極ピンの使用に提供する。）を形成する。上薬保護層３がセラミック基板１及び電極２を被覆する全体機能性セラミック基板（露出部２０を除く）のために、空気とセラミック基板を隔絶し、効果的にセラミック基板を湿気から守り、電極２が上薬保護層３により被覆されるために、外に露出している電極２は不適当な接触、摩損などの破壊から効果的に保護されて、電極を保護することができる上にセラミック基板の寿命も伸ばすことができる。
【０００８】
　本考案では好適な実施形態を前述の通り開示したが、これらは決して本考案に限定するものではなく、当該技術を熟知するものなら誰でも、本考案の精神と領域を脱しない範囲内で各種の変動や潤色を加えることができ、従って本考案の保護の範囲は、実用新案登録請求の範囲で指定した内容を基準とする。
【図面の簡単な説明】
【０００９】
【図１】本考案にかかる実施例を示す断面図である。
【符号の説明】
【００１０】
　１　セラミック基板
　２　電極
２０　露出部
　３　上薬保護層
【図１】
0003100129.tif 000003